(57)【要約】      （修正有）【課題】衛生靴構造を提供する。【解決手段】本考案の衛生靴構造は、オゾン気体５を噴出して、足部が細菌に感染するのを防止し、快適な靴中環境を保持するもので、靴底１、オゾン装置３、靴パッド１０、中底パッド１８からなり、靴底１、靴パッド１０は、溝槽７を有して連結をなし、靴パッド１０は通孔１３を有し、靴底１凹槽２に設けられたオゾン装置３により、オゾン気体５を噴出し、靴中に充満させ、使用者の足部が、快適に保たれる。【選択図】図３
0003115905.tif 000002
【実用新案登録請求の範囲】
【請求項１】
オゾン気体を噴出して、足部を清潔な環境にし、快適にするための衛生靴構造であって、
靴底の踵部に、凹槽を有し、前記凹槽内に、オゾン装置を有し、充電できる充電台座を配置し、前記オゾン装置上方に、押してオゾン気体を噴出させるための弧蓋型のプッシュ蓋を配置し、前記凹槽の水平な前方に直方形状の貯存槽を有し、前記貯存槽と前記凹槽の間に正方形状の溝槽を有して、両槽が導通し、前記貯存槽の一側に、複数の弧形溝を設置し、その最初の端と前記貯存槽は連接し、前記弧形槽のもう一端は、靴底面前方に向かって配置され、
前記靴底上方に中底パッドを配置し、前記中底パッドはオゾン気体を逸出させるための複数の通孔を有し、前記中底パッド踵側には前記オゾン装置を配置するための大孔を有し、
前記中底パッド上方に発泡材料からなり吸振効果を有する靴パッドを配置し、その外形は丁度前記靴底と対応し、前記靴パッドの裏面には前記凹槽の対応位置に円槽を形成し、前記円槽の槽縁、複数の導流溝を連接し、該導流溝と導流溝との間は横の連結をなして互いに導通し、前記導流溝上に靴パッド面に達する通孔を設置し、前記円槽は上方に少し突起して弧面を形成し、丁度前記オゾン装置の前記プッシュ蓋と符合し、
使用者が履いた後前記プッシュ蓋が作動して、オゾン気体が前記靴パッド端に達して靴全体に充満し、使用者の足部が清潔に保たれることを特徴とする衛生靴構造。
【請求項２】
前記靴底の弧形溝と前記靴パッドの導流溝は、四角形状の溝であることを特徴とする請求項１に記載の衛生靴構造。
【請求項３】
前記凹槽、貯存槽又は溝槽の形状が、円形、球形或いは台形のうちのいずれかであることを特徴とする請求項１又は２に記載の衛生靴構造。
【考案の詳細な説明】
【技術分野】
【０００１】
本考案は、衛生靴構造に関するものであって、特に、オゾン気体を噴出して、使用者の足部が、細菌に感染するのを防止し、且つ、快適に保てる衛生靴構造に関するものである。
【背景技術】
【０００２】
一般の靴は、ゴム底、靴中底、及び、靴面からなり、履くのには問題ないが、このような靴は、往々にして、通気性がなく、細菌が繁殖しやすい。履く者の足部は、水虫などの細菌に感染し、靴内をオゾン気体により殺菌できるようにして、上述の問題を解決する。
【特許文献１】特開平９−２０６１０６
【考案の開示】
【考案が解決しようとする課題】
【０００３】
オゾン気体を噴出して、使用者の足部が、細菌に感染するのを防止し、且つ、快適に保てる衛生靴構造を提供することを目的とする。
【課題を解決するための手段】
【０００４】
本考案の請求項１に記載の衛生靴構造は、
靴底の踵部に、凹槽を有し、前記凹槽内に、オゾン装置を有し、充電できる充電台座を配置し、前記オゾン装置上方に、押してオゾン気体を噴出させるための弧蓋型のプッシュ蓋を配置し、前記凹槽の水平な前方に直方形状の貯存槽を有し、前記貯存槽と前記凹槽の間に正方形状の溝槽を有して、両槽が導通し、前記貯存槽の一側に、複数の弧形溝を設置し、その最初の端と前記貯存槽は連接し、前記弧形槽のもう一端は、靴底面前方に向かって配置され、
前記靴底上方に中底パッドを配置し、前記中底パッドはオゾン気体を逸出させるための複数の通孔を有し、前記中底パッド踵側には前記オゾン装置を配置するための大孔を有し、
前記中底パッド上方に発泡材料からなり吸振効果を有する靴パッドを配置し、その外形は丁度前記靴底と対応し、前記靴パッドの裏面には前記凹槽の対応位置に円槽を形成し、前記円槽の槽縁、複数の導流溝を連接し、該導流溝と導流溝との間は横の連結をなして互いに導通し、前記導流溝上に靴パッド面に達する通孔を設置し、前記円槽は上方に少し突起して弧面を形成し、丁度前記オゾン装置の前記プッシュ蓋と符合し、
使用者が履いた後前記プッシュ蓋が作動して、オゾン気体が前記靴パッド端に達して靴全体に充満し、使用者の足部が清潔に保たれることを特徴とする。
【０００５】
請求項２に記載の衛生靴構造は、請求項１の場合において、前記靴底の弧形溝と前記靴パッドの導流溝が、四角形状の溝であることを特徴とする。
【０００６】
請求項３に記載の衛生靴構造は、請求項１又は２の場合において、前記凹槽、貯存槽又は溝槽の形状が、円形、球形或いは台形のうちのいずれかであることを特徴とする。
【考案の効果】
【０００７】
本考案により、足部が細菌に感染するのを防止し、快適な靴内環境を提供することができる。
【考案を実施するための最良の形態】
【０００８】
図１〜図５は、本考案の衛生靴構造を示す図で、オゾン気体を噴出して、足部が細菌に感染するのを防止し、快適な靴内を維持するものであり、
実施時、本考案は、ゴム製靴底１からなり、足底部を容納するような外形である。靴底１の踵部に、凹槽２を有し、凹槽２内に、オゾン装置３を有し、充電できる充電台座２１を有する。オゾン装置３上方に、弧蓋型のプッシュ蓋４を有し、押した後、オゾン気体５が噴出する。凹槽２の水平な前方に、貯存槽６を有し、貯存槽６と凹槽２間に、溝槽７を有して、両槽が導通するようになっている。貯存槽６は直方形で、溝槽７は正方形であるが、凹槽２、貯存槽６、溝槽７の形状は変化でき、円形、球形、台形でもよい。貯存槽６の一側に、複数の弧形溝８を有し、その最初の端と貯存槽６は連接し、弧形溝８のもう一端は、靴底面９前方に沿って配置される。靴底１上方の靴底面９端に、中底パッド１８端を有し、その上に、複数の通孔１９があって、オゾン気体５を逸出させる。中底パッド１８後方に、大孔２０を有し、オゾン装置３を配置し、中底パッド１８上方の靴パッド１０は、発泡材料からなるので、吸振効果を有し、その外形は、丁度、靴底１と対応している。靴パッド１０の底面と凹槽２の対応位置に、円槽１１を形成し、円槽１１の槽縁に、複数の導流溝１２を連接し、溝と溝間は、横置連結をなして、互いに導通する。導流溝１２上に、靴パッド１０面に達する通孔１３を設置する。円槽１１の底面は、外に少し突起して、弧面１４を形成し、丁度、オゾン装置３のプッシュ蓋４と符合し、組み合わせ後の衛生靴１５は、使用者が履いた後、施力でき、プッシュ蓋４が作動して、オゾン気体５は、凹槽２、溝槽７、貯存槽６、弧形溝８、円槽１１、導流溝１２、通孔１３の連結により、気体が、靴パッド１０端に達して、靴全体に充満し、使用者の足部が清潔に保たれる。
【０００９】
更に、本考案の靴底１の弧形溝８と靴パッド１０の導流溝１２は、四角形溝１６、１７に設計でき（図６を参照する）、その他の部分は変化しない。
【００１０】
この他、本考案は、右の靴により本考案の特徴を説明しているが、左の靴も、その形状に合わせて同様に製作できるので、左の靴を図示していない。
【００１１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１２】
【図１】本考案の分解図である。
【図２】本考案の組み合わせ図である。
【図３】本考案の断面図である。
【図４】本考案のオゾン気体の流動実施例を示す図である。
【図５】本考案の靴の組み合わせ完成図である。
【図６】本考案の溝槽を四角形に設計した実施例を示す図である。
【符号の説明】
【００１３】
１…靴底
２…凹槽
３…オゾン装置
４…プッシュ蓋
５…オゾン気体
６…貯存槽
７…溝槽
８…弧形溝
９…靴底面
１０…靴パッド
１１…円槽
１２…導流溝
１３…通孔
１４…弧面
１５…衛生靴
１６、１７…四角形溝
１８…中底パッド
１９…通孔
２０…大孔
２１…充電台座
【図１】
0003115905.tif 000003
【図２】
0003115905.tif 000004
【図３】
0003115905.tif 000005
【図４】
0003115905.tif 000006
【図５】
0003115905.tif 000007
【図６】
0003115905.tif 000008